(57)【要約】【課題】  既存の照明装置の筐体を変更せずに筐体にアクチュエータを取り付けこのアクチュエータと手でプルスイッチの紐を操作できるようにする。【解決手段】照明装置のスイッチング回路２に連結された紐６をリターンスプリング（図示せず）のリターン力に抗して手で引くことによりスイッチングする照明装置において、前記紐６を操作するためのアクチュエータ（モータ１１、ソレノイド３８）を前記筐体下面部７に着脱自在なブラケット９に取り付けて前記筐体下面部７に前記ブラケット９ごと取り付ける。【選択図】      図１
2005302306.tif 000002
【特許請求の範囲】
【請求項１】
照明装置のスイッチング回路に連結された紐をリターンスプリングのリターン力に抗して手で引くことによりスイッチングする照明装置において、前記紐を操作するためのアクチュエータを前記筐体下面部に着脱するブラケットに取り付けたことを特徴とする照明装置のスイッチング装置。
【発明の詳細な説明】
【技術分野】
【０００１】
この発明は照明装置のプルスイッチに連結された点灯・消灯切換え用の紐を操作してスイッチング回路を切換る照明装置に関し、特に、手とリモコンによりプルスイッチを操作する照明装置のスイッチング装置に関する
【背景技術】
【０００２】
一般に、照明装置には、切換えスイッチとして、紐を引く、あるいは紐を引き下げることによって照明のスイッチング回路を切り換える、プルスイッチ（紐式スイッチ）又はリモコンによってスイッチング回路を切り換える電子スイッチが備えられている。しかし、紐のみによってプルスイッチを切り替える構造では、少し離れた場所や寝たままの姿勢では紐を引くことができない問題がある。また、電子スイッチのみによって切り換える構造では、誤ってリモコンを紛失又は見失った場合やリモコンの電池が切れてしまった場合に電子スイッチを切り換えることが対応できないという問題がある。
【０００３】
そこで、筐体内にソレノイドを配置し、紐をソレノイドにより引き下げる照明灯用スイッチ装置が提案されている。この照明灯用スイッチ装置においては、照明の筐体下面部と筐体内の電気電子部品との間にソレノイドが配置され、プルスイッチを切換え操作する紐には、プルスイッチのリターンスプリングの引き代に対応する位置にストッパが取り付けられる。
【０００４】
そして、ソレノイドの可動部はストッパとプルスイッチ間で紐に引き掛けられていて、ソレノイドの通電時に紐をソレノイドの本体側に引き込むようになっている。また、ソレノイドの駆動回路には受信機が接続され、駆動回路は、受信機を介して送信されたリモコンの切換え信号を受信すると、ソレノイドが通電され、ソレノイドの可動部がソレノイド本体側に引き込むようになっている。
【特許文献１】実開平３−５０７２３号公報
【発明の開示】
【発明が解決しようとする課題】
【０００５】
このように従来の照明灯用スイッチ装置によれば、手とリモコンの両方の操作が可能となるが、照明装置の筐体は、内蔵する電気電子部品に合わせて形成されていて狭隘なのでソレノイドや受信機を組み込むことができないという問題がある
【０００６】
そこで、既存の照明装置の筐体を変更せずに筐体にアクチュエータを取り付けこのアクチュエータと手で紐を操作できるようにするために解決すべき技術的課題が生じるのであり、本発明はこの課題を解決することを目的とする。
【課題を解決するための手段】
【０００７】
本発明は以下の構成により上記課題を解決する。
照明器具のスイッチング装置は、照明装置のスイッチング回路に連結された紐をリターンスプリングのリターン力に抗して手で引くことによりスイッチングする照明装置において、前記紐を操作するためのアクチュエータを前記筐体下面部に着脱するブラケットに取り付けたものである。
【発明の効果】
【０００８】
平坦で凹凸もない照明装置の筐体下面部にブラケットを取り付け、このブラケットに紐を操作するためのアクチュエータを取り付けたので、手とアクチュエータにより紐を操作しプルスイッチを切り換えることができる。また、筐体下面部に加工が不要となるので、既に生産されている照明装置に使用でき、その付加価値を高めることができる。
【発明を実施するための最良の形態】
【０００９】
以下に図１乃至図７を参照して参照して蛍光管二本、豆電球及びグローランプを備えた公知の２灯式照明装置に適用した本発明の実施の形態を説明する。本発明は、アクチュエータと、アクチュエータの駆動力を紐の上下力に変換して紐に伝達する動力変換手段と、動力変換手段の出力部を紐に連結する紐連結手段とでスイッチング装置を構成し、このスイッング装置をブラケットに組み込んで照明装置の筐体下面部に取り付けるようにしたものである。なお、動力伝達手段は、リンク機構、ラック＆ピニオン機構、ウオーム＆ウオームホイールの中から前記アクチュエータの種別に対応するものが選択される。
【００１０】
〔実施形態１〕
図１は本発明にかかる照明装置のスイッチング装置の実施形態１を示し、符号１は２灯式の照明装置、符号２はスイッチング装置を示す。公知の照明装置１には筐体３の内部にスイッチング回路が備えられ、スイッチング回路にプルスイッチ４がリターンスプリング５を介して接続されている。そして、操作用の紐６は筐体３内でプルスイッチ４に連結され、筐体下面部７の小径の紐通孔８から外部に引き出されている。
【００１１】
筐体下面部７には複数の吸盤１０を介してブラケット９が取り付けられる。このブラケット９には予めスイッチング装置２が組みこまれている。スイッチング装置２は、前記アクチュエータとしてのステッピングモータ（以下、モータという）１０と、モータ１１の回転駆動力を上下の往復運動に変換する板カム１２と、スライダ１３及び後述するスライダガイド１４から成るスライダリンク機構（動力伝達機構）１５と、リモコン１６の切換え信号を後述するモータ１１の駆動回路１８に入力する受信機１９とで構成されている。
【００１２】
前記ブラケット９にはこれを前記スライダガイド１４とするための長孔２０が一側壁９ａに形成されていて、長孔２０は上下方向に沿っている。そして、長孔２０には前記スライダ１３の一端部に取り付けられている摺動ピン２１が挿入されていて、長孔２０に沿って上下方向に案内される構造となっている。前記板カム１２は回転駆動軸２２に固定され、板カム１２とスライダ１３とは、回転ピン２３により連結されている。なお、回転ピン２３はスライダ１３と板カム１２に対して回転自在、摺動ピン２２はスライダ１２に対して回転自在である。従ってモータ１１を駆動すると、板カム１２が回転し、板カム１２の回転によってスライダ１３が昇降する。
【００１３】
前記摺動ピン２１には、前記スライダ１３の往復運動による上下動を前記紐６に伝達するための紐連結手段２４が取り付けられる。紐連結手段２４は、図２に示すように、ロック部材２５と、このロック部材２５に内蔵された弾性体としての圧縮コイルばね２６と、この圧縮コイルばね２６に付勢されるピストン状の押圧部材２７と、ロック部材２５の外周面に刻設されたねじ２８に螺入されたナット部材２９と、前記ロック部材２５と押圧部材２７とに形成された一連の紐通し部３０とを備え、紐通し部３０に挿通した紐６を押圧部材２７により押圧してロックするようになっている。なお、押圧部材２７は軸方向に移動自在であるが、ロック部材との嵌合断面が矩形状回転となっているので回転することがない。
【００１４】
ナット部材２９は、押圧部材２７により圧縮コイルばね２６の付勢力を変化させることができるので、螺入度を増大すると紐６が強固に挟持され、螺入度を減らすと、紐６の取り外しや連結手段２４の位置調節が可能となる。なお、前記押圧部材２７が移動可能な構造となっているので、ナット部材２９の押圧によって連結部材２４の上下方向の位置を調節してもよい。なお、紐連結部材２４としては、このような構成のものに限らず、公知のものを使用してもよい。
【００１５】
前記モータ１１は前記ブラケット９の他側壁９ｂに、受信機１９は前記ブラケット９の底壁部９ｃに固定される。受信機１９は、例えば、赤外線を搬送波として信号を受信する電気回路で、また、送信機としてのリモコン１６は、受信機１９に対応して赤外線を搬送波として信号を送信する電気回路でそれぞれ構成されている。
【００１６】
なお、リモコン１６には、操作感を出すため点灯／消灯スイッチ３１が備えられる。受信機１９がリモコン１６の信号を受信すると、モータ１１の駆動回路１８に駆動信号が出力される。駆動回路１８は、駆動信号が入力されると、予め記憶されたテーブル（図示せず）に基づいてモータ１１を制御する。ここで、テーブルとは、メモリに格納されている前記モータ１１の駆動・停止、モータ１１の回転駆動軸２２の回転角、回転方向の参照テーブルである。
【００１７】
駆動回路１８に駆動信号が入力されると、駆動回路１８は、テーブルからモータ１１の回転角をプルスイッチ４の引き下げストロークに対応した正のステップ数と、リターンスプリングによりプルスイッチを引き下げ前の元の位置に引き戻すための負のステップ数を取り出す。ステップ数の正負については正がプルスイッチの引き下げ方向、負がリターンスプリングによる引き戻し方向である。また、ステップ数が回転量となる。
【００１８】
モータ１１の駆動回路１８が、前記テーブルに基づいて正ステップ数でモータ１１の回転駆動軸２２を回転させると、紐６によりプルスイッチ４が引き下げられ、スイッチング回路が切り換わる。次に、モータ１１の駆動回路１８は、負のステップ数でモータ１１を逆方向に回転させ、続いて駆動停止信号をモータ１１に出力する。モータ１１の駆動回路１８が負のステップ数でモータ１１を逆方向するときは、リターンスプリングが紐６を引き戻すと共に、停止信号を出力する。
【００１９】
このときは、リターンスプリング（図示せず）がモータ１１のロータを引きずりながら回転させる。このとき、モータ１１には発電に伴う弱い抵抗力が発生するがリターンスプリングの復帰力が大きい。このためプルスイッチ４及び回転駆動軸２２は、それぞれ引き下げ前の位置に復帰する。また、リターンスプリングには、モータ１１による紐６の引き下げ、引き戻し以外は無理な負荷は掛からないので耐久性が増加する。
【００２０】
手で紐を操作する場合、モータ１１の回転駆動軸２２がリターンスプリングに引きずられて回転するので、紐６を手で引き下げるとプルスイッチ４も引き下げられる。そして、紐６から手を離すと、紐６がリターンスプリングにより引き戻され、同時に、モータ１１の回転駆動軸２２が引きずられて逆転する。従って、手で紐６を操作する場合もモータ１１のホームポジションは一定に維持される。
【００２１】
このように、本実施の形態にかかるスイッチング装置２は、紐６、スライダ１３、板カム１２、モータ１１を連動させるのでモータ１１のホームポジョンにずれが発生しにくいが、紐６の種別、性状によって伸びが発生した場合は前記ナット部材２９によって紐６の弛みをとるものとする。なお、モータ１１の正逆回転を行わず、一方向の回転でプルスイッチ４の切換えを行う場合は、板カム１２とモータ１１の回転駆動軸２２との間に正回用のギヤ列と逆転用のギヤ列とを介挿し、これらギヤ列を電磁クラッチで切り替えるようにしてもよい。
【００２２】
（効果）
以上、説明したように、本実施形態にかかるスイッチング装置によれば次の如き効果が発揮される。
（１）リモコン１６と手による紐６の操作によりプルスイッチ４を操作することができる。
（２）紐連結手段２４により、紐のロック位置を自由に変えることができるので、紐の伸びやリターンスプリングの伸びに対応した調節が可能となる。
（３）また、平坦で凹凸もない照明装置１の筐体下面部７に複数の吸盤１０を介してブラケット９を吸着する構造としたので、筐体下面部７に加工が不要となる。このため、既に生産されている照明装置や使用されている照明装置に支障なく取り付けることができる。また、吸盤１０の着脱に際して特別な工具や熟練を必要としないので誰でも簡単に取り付けることができる。
（４）さらに、紐６、プルスイッチ４を引き戻すリターンスプリングとの関係においてモータ１１をホームポジションに戻すことができるので、スイッチングの信頼性を向上できる。
なお、前記リモコン１６や受信機１９には、使用する赤外線や電波の周波数を選択的に変更できる選択回路を設けてもよい。このようにすると、同一の部屋に複数の照明装置がある場合でも目的とする照明装置以外の誤動作を防止できる。
（５）また、吸盤１０の取り外しや紐６からの取り外しが可能なので、筐体下面部７の清掃も可能となる。
【００２３】
〔ブラケットの変形例〕
図３及び図４は予め前記筐体下面部に係止用としての開口部を設け、この開口部の周縁部を利用してブラケットを固定するブラケットの係止構造を示す。図３に示す例では、係止部３０が楔形に成形されていて、開口部３１の縁部を支点とする係止部３０の支点越えによって係止が可能となるようにしたものである。
【００２４】
また、図４に示す例では、係止部３２を外向きに屈曲したＬ字形に形成し、ブラケット９の相対峙する一対の側壁部９ａ，９ｂの弾性復帰力によって係止する構造としたものである。いずれの例でも係止部３０，３２が一対の側壁の弾性復帰力により開口部に係合された後、開口周縁部に係止する構造なので取り付けの作業性がよい。また、ブラケットと筐体下面部が一対の側壁９ａ，９ｂの弾性復帰力により筐体下面部７に一体化するので安定したスイッチングが可能となる。また、脱落しにくい構造であるという特長がある。  
【００２５】
〔実施形態２〕
以下に、本発明の実施形態２を説明する。なお、この実施形態において、照明装置、ブラケット等、実施形態１と同様な構成については同一の符号を付し、異なる構成について詳述するものとする。
【００２６】
図５はブラケットとこれに装着するスイッチング装置を示す解説図である。
この実施形態ではアクチュエータとしてのモータ１１に動力伝達手段としてプーリ３３を取り付け、プーリ３３に前記紐を巻きつけてプーリ３３の回転力によりプルスイッチ４を作動する。プーリ軸とモータ１１の回転駆動軸２２との間には電磁クラッチ３６が介設され、ブラケット９にはプーリ３３に巻き付けられた紐６の緩みを防止するためのテンションアーム３７が枢支され、テンションアーム３７には、ブラケット９を固定系とするねじりコイルばね３８が取り付けられている。前記紐連結手段２４は前記テンションアーム３７の先端部に回動自在に取り付けられる。
【００２７】
このため前記電磁クラッチ３６を切った状態では、ねじりコイルばね３８によるテンションアームの付勢力と、プルスイッチ４を引き戻すためのリターンスプリングの付勢力で互いに反対向きに引っ張られて紐４に緩みが発生しないので、プーリ３３に対する紐６の巻き付けが維持される。なお、プーリ３３に対する紐６の巻き付け数を多くすると、プーリ３３に対する紐４の摩擦力も増加するので、紐の巻き数によってテンションアーム３７の付勢力を調節してもよい。
【００２８】
この場合前記リモコン１６の送信回路（図示せず）は、前記点灯／消灯スイッチ３１に連動して前記駆動モータ１１を駆動する間は、電磁クラッチ３６にＯＦＦ信号を出力するように、それ以外はＯＮ信号を出力するように形成されており、受信機位置１９は、この信号を前記電磁クラッチ３６の駆動回路（図示せず）に入力するようになっている。このため、実施形態１と同様にリモコン１６の点灯／消灯スイッチの操作によりプルスイッチ４が切換えられる。また、手で紐を引き下げる場合も前記したように紐に緩みが発生することがないので、実施形態１と同様、手による紐の引き下げによりプルスイッチが切換えられる。
【００２９】
〔実施形態３〕
以下に、本発明の実施形態３を説明する。なお、この実施形態において、照明装置、ブラケット等、実施形態１と同様な構成については同一の符号を付し、異なる構成について詳述するものとする。
【００３０】
図６はブラケットとこれに装着するスイッチング装置を示す解説図である。この実施形態ではアクチュエータはソレノイド３８より、動力伝達手段はレバー３９から構成されている。ソレノイド３８の本体部４０及びレバー３９の一端部は、水平軸回りに回転自在に枢支され、レバー３９の他端部に前記紐連結手段２４を介して紐６が連結されている。ソレノイド３８の可動部４１は、レバー３９にピン４２により連結される。このため、ソレノイド３８の可動部４１を引き戻すとレバー３９の下向きの回動により紐６が引き下げられ、可動部４１をソレノイド３８のリターンスプリング（図示せず）によって引き戻すとレバー３９が上向きに回動されて紐６が引き上げられる。
【００３１】
従って、この実施例でもリモコン１６、受信機１９及びソレノイド３８等により紐６の上げ下げが可能となり、プルスイッチ４の切り替えが可能となる。なお、ソレノイド３８の可動部４１のストロークは、リターンスプリングによるプルスイッチ４のストロークに対応しているので、実手による紐６の引き下げによってもプルスイッチ４の引き下げが可能となる。
【図面の簡単な説明】
【００３２】
【図１】本発明の実施形態１にかかるブラケット及びスイッチング装置の構成を示す解説図である。
【図２】紐を連結するための紐連結手段の構造を示す断面図である。
【図３】ブラケットの取り付け構造の変形例を示す要部解説図である。
【図４】ブラケットの取り付け構造の変形例を示す要部解説図である。
【図５】本発明の実施形態２にかかるブラケット及びスイッチング装置の構成を示す解説図である。
【図６】本発明の実施形態３にかかるブラケット及びスイッチング装置の構成を示す解説図である。
【符号の説明】
【００３３】
１  照明装置
２  スイッチング装置
３  スイッチング回路
４  プルスイッチ
５  リターンスプリング
６  紐
７  筐体下面部
８  紐通孔
９  ブラケット
９ａ  一側壁
９ｂ  他側壁
９ｃ  底壁部
１０  吸盤
１１  モータ（アクチュエータ）
１２  板カム
１３  スライダ
１４  スライダガイド
１５  スライダリンク機構（動力伝達手段）
１６  リモコン
１８  モータの駆動回路
１９  受信機
２０  長孔
２１  摺動ピン
２２  モータの回転駆動軸
２３  回転ピン
２４  紐連結手段
２５  ロック部材
２７  押圧部材
２９  ナット部材
３８  ソレノイド（アクチュエータ）
３９  レバー
【図１】
2005302306.tif 000003
【図２】
2005302306.tif 000004
【図３】
2005302306.tif 000005
【図４】
2005302306.tif 000006
【図５】
2005302306.tif 000007
【図６】
2005302306.tif 000008